(57)【要約】【課題】生成されたラジカルの化学的な不安定によりすぐに分子やイオンになる弱点を克服する工夫を行い、室内空間の空気をより安全で安心できる清潔な空気に換えて提供すると共に、生活空間での空気汚染情報を実用データとして蓄積し、対応する研究を継続する。【解決手段】空気清浄機内を通過する空気を、大気圧プラズマを発生させる放電により生成されるラジカルを貯水タンクに迅速投入し水を静電霧化することで、ラジカルを含む帯電微粒子水を生成し、一酸化炭素、アンモニア、アセトアルデヒド、酢酸のうち少なくとも一つと反応させ、その一つを分解することと、また、空気中や水中に含まれる有害物質などがラジカルに分解除去されて殺菌が行い、清潔な空気を排出する。また、人感センサー等の感知センサーとIoTデバイスの通信制御装置を利用して感知データをサーバーに蓄積、ユーザと共有可能とする。【選択図】  図１
2020062183.tif 000002
【特許請求の範囲】
【請求項１】
空気清浄機であって、
筐体と、
前記筐体内に実装された、裏面の吸気口から上部の排気口をつなぐ空気流通経路と、
前記空気流通経路に実装された送風装置、プレフィルター、ラジカルによる空気清浄空間と、
前記筐体内に内蔵された大気圧プラズマを発生させる放電装置と、
前記放電装置から生成されたラジカルを投入する貯水タンクと、
前記放電装置から生成されたラジカルを貯水タンクに投入するためのエアーポンプと、
前記排気口の全段階に内蔵されるオゾンフィルターと、
前記筐体内に実装されたIoTデバイスの通信制御装置と
前記筐体内に実装された人感センサー等の感知制御装置と、
全体制御を賄う制御装置を備え、
前記制御措置は制御プロセスを遂行することを特徴とする空気清浄機
【請求項２】
空気清浄機であって、
プロセス（１）前期貯水タンクの水位を随時検知するプロセス
プロセス（２）プロセス（１）の次に前記放電装置内の電極に通電するプロセス
プロセス（３）プロセス（２）で生成されたラジカルをエアーポンプで貯水タンクに投入するプロセス
プロセス（４）プロセス（３）により水の静電霧化、ラジカルを含む帯電微粒子水を生成、ウイルスの除菌や有害ガスなどを分解するプロセス
プロセス（５）前記IoTデバイスの通信制御装置により空気の浄化状態を感知するプロセス
プロセス（６）前記人感センサー等により感知された情報データを送信するプロセス
プロセス（７）前記制御装置の設定に応じて動作を停止するプロセス
前記制御措置は前期制御プロセスを遂行することを特徴とする空気清浄機
【発明の詳細な説明】
【技術分野】
【０００１】
本発明は、大気圧プラズマによるラジカルと水を利用し、空気流通経路を通過した空気を浄化する手段と、IoTを搭載した空気清浄機に関する。
【背景技術】
【０００２】
水を静電霧化することで、ラジカルを含む帯電微粒子水を生成し、前記帯電微粒子水を、アンモニア、アセトアルデヒド、酢酸のうち少なくとも一つと反応させ、当該アンモニア、アセトアルデヒド、酢酸のうち少なくとも一つを分解することを特徴とする。
【０００３】
このような特徴を生かして特開２０１４−１３１７６５号公報には、水を静電霧化することで、ラジカルを含む帯電微粒子水を生成し、臭いを分解する例が示されている。
【０００４】
また、空気清浄機の内部に導入された空気中の浮遊菌を殺菌剤が投入されている浄化用液で取り込み、その浄化用液が貯留槽内の取込み領域に集められた汚染された浄化用液の一部を排出することと、希釈液を注入して浄化用液を希釈するなど、殺菌剤の使用量を抑制する必要性が示されている。特開2015-119883 (P2015-119883A)
【先行技術文献】
【特許文献】
【０００５】
【特許文献１】特開2015-119883 (P2015-119883A)
【発明の概要】
【発明が解決しようとする課題】
【０００６】
しかしながら、従来の空気清浄機では、生成されたラジカルは化学的に不安定であり反応性が高いため生成するとすぐに他の原子や分子との間に酸化還元反応を起こし安定な分子やイオンになることが広く知られているが、そのため、室内中の空間にラジカルを拡散させて空気浄化の効果を得ることは極めて困難である。
【０００７】
また、従来の一部の空気清浄機では、内部に空気浄化の仕組みが設けられ、ラジカルを生成し空気清浄するタイプや殺菌剤を利用したタイプまであるが、ラジカルを生成し空気清浄を行うタイプの場合は一酸化炭素やアセトアルデヒドなどラジカルとの反応により消滅されるはずの成分に変化が見られないし、殺菌剤を利用するタイプでは人体に甚大な悪影響を与える危険性が極めて高いことが問題である。
【０００８】
本発明は、空気清浄機内に空気流通経路と空気浄化空間を実装し、ラジカルの特徴を最大限有効活用することにより、室内空間の空気をより安全で安心できる清潔な空気に換えて提供することと同時に、現社会の課題である空気汚染に対応するため実用データを蓄積すること、また高齢者の孤独な生活の安全を見守ることを目的とする。
【課題を解決するための手段】
【０００９】
本第1発明は、空気流通経路と空気浄化空間を通過する空気を浄化する空気浄化手段と大気圧プラズマを発生させる放電装置と放電により生成されたラジカルを投入する貯水タンクと人感センサー等の感知センサーとIoTデバイスの通信制御装置とを備えた空気清浄処理装置を前提とする。
【００１０】
本第1発明では、大気圧プラズマを発生させる放電装置での放電に伴い生成されるラジカルを貯水タンクに迅速投入することにより水を静電霧化することで、ラジカルを含む帯電微粒子水を生成し、一酸化炭素、アンモニア、アセトアルデヒド、酢酸のうち少なくとも一つと反応させ、当該アンモニア、アセトアルデヒド、酢酸のうち少なくとも一つを分解することと、また、空気中や水中に含まれる有害物質などがラジカルに分解除去されて殺菌が行われる。
【００１１】
また、大気圧プラズマを発生させる放電装置の安定的に放電を保証するため貯水タンクへ投入される分と同量の空気が供給されている。
【００１２】
本第1発明では、分解されて物質を一切室内に戻さないため、空気除去空間の排出経路にフィルター群を設け、そのフィルター群は、プレフィルター、高性能HEPAフィルター、活性炭フィルターなどで構成されていることを特徴とするものである。
【発明の効果】
【００１３】
本発明では、大気圧プラズマを発生させる放電装置での放電に伴い生成されるラジカルを貯水タンクに迅速投入することにより水を静電霧化することで、ラジカルを含む帯電微粒子水を生成し、一酸化炭素、アンモニア、アセトアルデヒド、酢酸など有害物質のうち少なくとも一つと反応させ、当該アンモニア、アセトアルデヒド、酢酸のうち少なくとも一つを分解することと、また、空気中や水中に含まれる有害物質などがラジカルに分解除去されて殺菌が行われるので、人体への悪影響を恐れることもなく安全・安心な空気清浄での清潔でクリーンな空気を室内中に提供することができる。
【００１４】
本発明は、IoTデバイスの通信制御装置により各種センサーの感知情報を瞬時に中央のデータベースへ送信し現社会の課題である空気汚染に対応するため実用データを蓄積することができて、また、高齢者や一人倉信お方の場合は本発明の空気清浄機が置かれている室内の中での動きがリアルタイム確認できるため、高齢者の孤独な生活の安全を見守ることができる。
【図面の簡単な説明】
【００１５】
【図１】本発明の実施の形態における空気清浄機の断面図である。
【発明を実施するための形態】
【００１６】
本発明における実施形態を、以下の図面を参照して説明する。
（本発明の実施形態）
本発明の実施形態では、図１のように空気清浄機であり、四角箱形状の筐体内に、送風装置14と、ラジカルを投入する貯水タンク8と、フィルター群13と、大気圧プラズマを発生させる放電装置4と、エアーポンプ5と、空気清浄空間11と、全体制御装置12などが設けられている。
【００１７】
筐体の裏面には室内の空気を導入する吸気口1と、上段の後ろ側には排気口2が設けられている。送風装置14は吸気口1を背にして空気を吸い込むことにより、吸気口1を通った空気は送風装置14の背面壁にぶつかり左右に分かれ回転しながら空気清浄空間11へ入りラジカルと反応・分解されてフィルター群13を通り、排気口2へと向かう形状である。
【００１８】
送風装置14は、筐体内で吸気口1の前にあり、フィルター群13は送風装置14の前に密着されてあり、スライド式で交換できる形状である。
【００１９】
大気圧プラズマを発生させる放電装置4は、送風装置14のすぐ下に設けられ、エアーポンプ5は、フィルター群13の下に設けられ、放電装置4とエアーポンプ5はラジカル投入口6によりつながっている形状である。
【００２０】
放電装置5から生成されたラジカルを投入する貯水タンク8は、空気清浄空間11の下に設けられ、その貯水タンク8は微多孔質フィルム10によって封印されているので水漏が漏れない形状である。万一の時の安全のため、貯水タンク8は水漏れ安全対策装置9内に置かれていて、水漏れ安全対策装置9は貯水タンクの容量を上回る分量の吸水ポリマーで構成されていて、貯水タンク内8の水をすべて吸い取ることができる形状である。
【００２１】
全体制御装置12は、全面上段のすぐ下に設けられ、タッチ式操作パネルにより全体の制御を行う形状である。
【符号の説明】
【００２２】
１吸気口
２排気口
３電源部
４放電装置
５エアーポンプ
６ラジカル投入口
７水の注入部
８貯水タンク
９水漏れ安全対策装置
１０微多孔質フィルム
１１空気清浄空間
１２全体制御装置
１３フィルター群（プレフィルター、HEPAフィルター）
１４送風装置
【図１】
2020062183.tif 000003